(57)【要約】【課題】園芸用剪定刃のキャッチャで確実に茎等の被切断物を保持できるようにする。【解決手段】園芸用剪定刃２０は、互いに相対的に回動自在に支持された第１の切断刃２２と第２の切断刃２１を交差させたときに植物の茎等の被切断物を挟んで切断するものであり、第１の切断刃２２の第２の切断刃２１と当接する当接面側に設けられて、第１の切断刃２２が第２の切断刃２１に交差して被切断物を切断するときに被切断物を第２の切断刃２１と挟んで保持するキャッチャ２３を備え、キャッチャ２３は第２の切断刃２１側に突出する突部２３ａを備え、突部２３ａを被切断物に喰い込ませるにして被切断物を第２の切断刃２１とともに保持するようにした。【選択図】図４
2019118325.tif 000002
【特許請求の範囲】
【請求項１】
互いに相対的に移動自在に支持された第１の切断刃と第２の切断刃を交差させたときに植物の茎等の被切断物を挟んで切断する園芸用剪定刃であって、
前記第１の切断刃の第２の切断刃と当接する当接面側に設けられて、前記第１の切断刃が前記第２の切断刃に交差して前記被切断物を切断するときに前記被切断物を前記第２の切断刃と挟んで保持するキャッチャを備え、
前記キャッチャは前記第２の切断刃側に突出する突部を備え、前記突部を前記被切断物に喰い込ませるようにして前記被切断物を前記第２の切断刃とともに保持するようにしたことを特徴とする園芸用剪定刃。
【請求項２】
請求項１に記載の園芸用剪定刃において、
前記キャッチャの突部の先端を前記第２の切断刃の前記第１の切断刃と離れた側の端縁と対向する位置に配置したことを特徴とする園芸用剪定刃。
【請求項３】
請求項２に記載の園芸用剪定刃において、
前記キャッチャの突部を前記第１の切断刃に近い方よりも離れた方を多く突出するように傾斜させたことを特徴とする園芸用剪定刃。
【請求項４】
請求項３に記載の園芸用剪定刃において、
前記突部の傾斜角度を４５°以下としたことを特徴とする園芸用剪定刃。
【請求項５】
請求項１〜４の何れか１項に記載の園芸用剪定刃において、
前記第１の切断刃と前記第２の切断刃の少なくとも一方を電動モータの駆動により移動させるようにした電動式園芸用剪定ばさみに採用したことを特徴とする園芸用剪定刃。
【発明の詳細な説明】
【技術分野】
【０００１】
本発明は、農業、園芸等で草花、樹木等の植物の茎、枝を切断する園芸用剪定刃に関する。
【背景技術】
【０００２】
特許文献１には農業、園芸等で草花、樹木等の植物の茎、枝を切断する剪定ばさみの発明が開示されている。剪定ばさみは、支点軸より先端側に刃部を有し基端側に把持部を有し、互いに相対的に支点軸で回動自在に支持された第１及び第２の切断刃を備え、第１及び第２の切断刃の刃部を交差させたときに植物の茎等の被切断物を挟んで切断するようにしたものである。また、この剪定ばさみは、第１の切断刃とともに回動して、第１の切断刃が第２の切断刃に交差して茎等の被切断物を切断するときに被切断物を第２の切断刃と挟んで保持するキャッチャを備え、第１及び第２の切断刃により被切断物を切断したときに、被切断物をキャッチャと第２の切断刃とにより挟むようにして、被切断物を保持するようにしている。
【０００３】
特許文献２には植物の茎、枝等を切断する電動式の剪定ばさみの発明が開示されている。この電動式の剪定ばさみは、本体ケーシングの前部に固定刃と可動刃と、本体ケーシング内に可動刃を回動させる電動モータとを備えている。この電動式の切断刃では、固定刃と可動刃と間に茎等の被切断物を挟むようにして、電動モータの作動によって可動刃を固定刃に対して相対的に回動させることによって、茎等の被切断物は可動刃と固定刃とが交差するときに切断される。
【先行技術文献】
【特許文献】
【０００４】
【特許文献１】特開２０００−１８８９５４号公報
【特許文献２】特開２０１７−０００３２２号公報
【発明の概要】
【発明が解決しようとする課題】
【０００５】
特許文献１の剪定ばさみは、第１の切断刃と第２の切断刃との各基端部の把持部を手指により操作することで、第１の切断刃の刃部と第２の切断刃の刃部とを交差させて、茎等の被切断物を第１の切断刃の刃部と第２の切断刃の刃部とを交差させるときに切断する。また、第１の切断刃とともに回動するキャッチャを第２の切断刃に接近させることで、切断した茎等の被切断物をキャッチャと第２の切断刃とにより押圧挟持するようにしている。このとき、作業者は無意識に適切な挟み圧となるように調整しているため、茎等の被切断物をキャッチャと第２の切断刃とにより押圧挟持することができる。
【０００６】
特許文献２の電動式の剪定ばさみで特許文献１のようなキャッチャを用いて、可動刃とともにキャッチャを回動させて固定刃に接近させると、電動モータにより回動する可動刃は人の手指の操作によって速度が調整されるものでないため、切断された茎等の被切断物が切断された勢いで外側に飛び出すようになり、キャッチャで茎等の被切断物を押圧挟持できないことがあった。本発明は、園芸用剪定刃のキャッチャで確実に茎等の被切断物を保持できるようにすることを目的とする。
【課題を解決するための手段】
【０００７】
上記課題を解決するために、本発明は、互いに相対的に移動自在に支持された第１の切断刃と第２の切断刃を交差させたときに植物の茎等の被切断物を挟んで切断する園芸用剪定刃であって、第１の切断刃の第２の切断刃と当接する当接面側に設けられて、第１の切断刃が第２の切断刃に交差して被切断物を切断するときに被切断物を第２の切断刃と挟んで保持するキャッチャを備え、キャッチャは第２の切断刃側に突出する突部を備え、突部を被切断物に喰い込ませるようにして被切断物を第２の切断刃とともに保持するようにしたことを特徴とする園芸用剪定刃を提供するものである。
【０００８】
上記のように構成した園芸用剪定刃においては、キャッチャは第２の切断刃側に突出する突部を備え、突部を被切断物に喰い込ませるようにして被切断物を第２の切断刃とともに保持するようにした。このようにしたことで、第１の切断刃と第２の切断刃とを交差させて被切断物を切断するときに、キャッチャの突部が被切断物に喰い込むため、被切断物がキャッチャと第２の切断刃とによって確実に保持されるようになった。
【０００９】
上記のように構成した園芸用剪定刃においては、キャッチャの突部の先端を第２の切断刃の第１の切断刃と離れた側の端縁と対向する位置に配置するのが好ましい。このようにしたときには、茎等の被切断物はキャッチャの厚み方向の長さでキャッチャと第２の切断刃との間で保持されるようになり、切断された茎等の被切断物がキャッチャと第２の切断刃の間で倒れないようにすることができた。
【００１０】
上記のように構成した園芸用剪定刃においては、キャッチャの突部を第１の切断刃に近い方よりも離れた方を多く突出するように傾斜させるのが好ましい。この場合には、突部の傾斜角度を４５°以下とするのが好ましい。このようにしたときには、キャッチャの突部が茎等の被切断物に喰い込みやすくなり、切断された茎等の被切断物がキャッチャと第２の切断刃との間で保持されやすくなった。
【００１１】
上記のように構成した園芸用剪定刃においては、第１の切断刃と第２の切断刃の少なくとも一方を電動モータの駆動により移動させるようにした電動式園芸用剪定ばさみに採用するのが好ましい。電動式園芸用剪定ばさみのような第１の切断刃と第２切断刃とを交差させるときの速さが速いものであるときに、被切断物が切断されたときに外側に勢いよく飛び出そうとするが、突部が被切断物に喰い込むことにより、被切断物は突部が喰い込んだキャッチャと第２の切断刃との間で確実に保持されるようになった。
【図面の簡単な説明】
【００１２】
【図１】本発明の園芸用剪定刃を採用した電動式園芸用剪定ばさみの斜視図である。
【図２】図１の側面図である。
【図３】図２の園芸用剪定刃を閉じた状態としたときの側面図である。
【図４】園芸用剪定刃のＡ−Ａ断面図である。
【図５】園芸用剪定刃によって茎を切断するときの概略図である。
【図６】他の実施形態の園芸用剪定刃の概略図である。
【発明を実施するための最良の形態】
【００１３】
以下に、本発明の園芸用剪定刃を採用した電動式園芸用剪定ばさみの一実施形態を添付図面を参照して説明する。電動式園芸用剪定ばさみ１０は、主として、農業、園芸等で草花、樹木等の植物の茎、枝を切断する剪定作業等に用いられるものである。図１〜図３に示したように、電動式園芸用剪定ばさみ１０は、前後方向に延びる筒形のケーシング１１を備え、ケーシング１１の後半部を作業者が把持するグリップ１２としている。ケーシング１１内の後部には電動モータ１３が設けられ、ケーシング１１内の前部には電動モータ１３の回転運動を可動刃２２のレバー部２２ｃの前後方向の往復直線運動に変換する動力伝達機構（図示省略）が設けられている。ケーシング１１の前部には前方に突出する園芸用剪定刃２０が設けられ、ケーシング１１の前側下部には園芸用剪定刃２０の可動刃２２を回動（移動）操作する操作レバー１４が設けられている。
【００１４】
図１〜図３に示したように、ケーシング１１の前部には園芸用剪定刃２０が設けられている。園芸用剪定刃２０は、金属製の板状の固定刃（第２の切断刃）２１と、金属製の板状の可動刃（第１の切断刃）２２とを備え、可動刃２２を固定刃２１に対して回動（移動）させて交差させたときに、植物の茎等の被切断物を挟んで切断するものである。固定刃２１は先端部が前方に突出するように基端部がケーシング１１の前部に固定（支持）されており、固定刃２１の上面には刃部２１ａが形成されている。固定刃２１の刃部２１ａは前後方向の中央部が最も凹み先端となる前部が斜め上方に曲がるように湾曲している。図４に示したように、刃部２１ａの左右方向に切断した縦断面は可動刃２２から離れる方向で下側に傾斜しており、刃部２１ａの縦断面における可動刃２２側の鉛直面と傾斜面との角度は６０°となっている。
【００１５】
可動刃２２は固定刃２１と交差するときに固定刃２１とともに茎等の被切断物を挟んで切断するものであり、固定刃２１の厚み方向にて直ぐに隣接する位置で厚み方向と直行する平面で平行に配置されている。可動刃２２は基端部に設けた回動軸部２２ｂがケーシング１１の前部に水平軸線回りに回動（移動）自在に支持されている。図２に示し可動刃２２が開いた状態から、可動刃２２を回動軸部２２ｂを中心に下側に回動させると、図３に示した可動刃２２が閉じた状態となる。可動刃２２の下面には基端部から先端側に刃部２２ａが形成されている。可動刃２２の刃部２２ａは前後方向の中央部が下側に最も膨らむように湾曲している。図４に示したように、刃部２２ａの左右方向に切断した縦断面は固定刃２１から離れる方向で上側に傾斜しており、刃部２２ａの縦断面における固定刃２１側の鉛直面と傾斜面との角度は３０°となっている。可動刃２２の基端部にはケーシング１１内に延びるレバー部２２ｃが一体的に設けられており、可動刃２２の刃部２２ａはレバー部２２ｃの前後の移動によって上下に回動する。可動刃２２のレバー部２２ｃは電動モータ１３の作動が動力伝達機構により伝達されて前後方向に移動するようになっている。
【００１６】
図１〜図３に示したように、可動刃２２の固定刃２１と当接する当接面にはキャッチャ２３が設けられている。図４に示したように、キャッチャ２３は５ｍｍの厚みのアルミニウム等の金属製の板金を加工したものであり（厚みをｗにて示した）、固定刃２１及び可動刃２２と平行に配置されている。キャッチャ２３は、可動刃２２が固定刃２１と交差して茎等の被切断物を切断するときに、可動刃２２とともに固定刃２１側に移動して茎等の被切断物を喰い込ませるようにし、被切断物を固定刃２１と挟んで保持するものである。
【００１７】
図２〜図４に示したように、キャッチャ２３は固定刃２１側に突出する突部２３ａを備えている。キャッチャ２３の突部２３ａは可動刃２２の刃部２２ａと同様に前後方向の中央部が下側に最も膨らむように湾曲している。キャッチャ２３の突部２３ａの先端は固定刃２１の厚み方向（可動刃２２の厚み方向）にて可動刃２２と離れた側の端縁と対向する位置に配置されている。キャッチャの突部２３ａの先端は可動刃２２を閉じたときに固定刃２１から少し離れた位置に配置されるようになっており、茎等の被切断物が切断されずにキャッチャ２３の突部２３ａと固定刃２１との間で保持されるようになっている。また、キャッチャ２３の突部２３ａは前後方向で固定刃２１との間の隙間が異なるようになっている。このキャッチャ２３は固定刃２１に近づくまたは離れる方向に移動可能に取り付けられていて、突部２３ａの茎等の被切断物に対する喰い込ませる長さを調整可能としている。
【００１８】
図４に示したように、突部２３ａは可動刃２２に近い方よりも離れた方が多く突出するように傾斜しており、この突部２３ａの傾斜角度は４５°となっている（図４のθにして示した）。また、突部２３ａの先端は刃部とならないように小さなアール（曲部）が形成されている。なお、突部２３ａは茎等の被切断物を喰い込むように４５°以下の鋭角な傾斜角度とするのが好ましい。なお、キャッチャ２３の突部２３ａの先端には、被切断物を切断してしまわないように、少なくともＲ＝０．５の丸みが付与されている。
【００１９】
この電動式園芸用剪定ばさみ１０を用いて植物の茎(被切断物)を切断するときには、固定刃２１と可動刃２２との間に茎を挟むようにして操作レバー１４を引くように操作すると、可動刃２２のレバー部２２ｃは電動モータ１３の駆動によって後側に移動し、可動刃２２が開いた状態（図５の（ａ）に示した）から図５（ｂ）の位置を経由して下側に回動して閉じた状態（図５の（ｃ）に示した）となる。図５（ｂ）及び（ｃ）に示したように、茎は可動刃２２が固定刃２１と交差するときに挟まれて切断され、このとき、茎はキャッチャ２３の突部２３ａが喰い込んだ状態でキャッチャ２３と固定刃２１との間に挟まれて保持される。
【００２０】
電動式園芸用剪定ばさみ１０に採用した園芸用剪定刃２０は、可動刃（第１の切断刃）２２の固定刃（第２の切断刃）２１と当接する当接面側に設けられて、可動刃２２が固定刃２１に交差して茎等の被切断物を切断するときに茎等の被切断物を固定刃２１と挟んで保持するキャッチャ２３を備えている。キャッチャ２３は固定刃２１側に突出する突部２３ａを備え、突部２３ａを茎等の被切断物に喰い込ませるようにして茎等の被切断物を固定刃２１とともに保持するようにした。このようにしたことで、固定刃２１と可動刃２２とを交差させて茎等の被切断物を切断するときに、キャッチャ２３の突部２３ａが茎等の被切断物に喰い込むため、茎等の被切断物がキャッチャ２３と固定刃２１とによって確実に保持されるようになった。特に、園芸用剪定刃２０を電動式園芸用剪定ばさみ１０に採用したときには、園芸用剪定刃２０の可動刃２２の回動速度が作業者によって調整されるものでないため、茎等の被切断物が勢いよく外側に飛び出そうとするが、キャッチャ２３の突部２３ａが茎等の被切断物に喰い込むため、茎等の被切断物がキャッチャ２３と固定刃２１とによって確実に保持されるようになった。
【００２１】
キャッチャ２３の突部２３ａの先端は厚み方向で固定刃２１の可動刃２２と離れた側の端縁と対向する位置に配置されているので、茎等の被切断物はキャッチャ２３の厚み方向の長さでキャッチャ２３と固定刃２１との間で保持されるようになり、切断された茎等の被切断物がキャッチャ２３と固定刃２１の間で倒れないようにすることができた。なお、この実施形態のキャッチャ２３の厚み（可動刃２２の刃面からキャッチャ２３の突部２３ａの先端までの距離）を５ｍｍとしたが、本発明はこれに限られるものでなく、キャッチャ２３の厚み（可動刃２２の刃面からキャッチャ２３の突部２３ａの先端までの距離）を３ｍｍ以上としていれば上述した作用効果を得ることができる。また、この場合において、キャッチャ２３の突部２３ａを可動刃２２の厚み方向にて、可動刃２２から離れた方が最も突出するように、可動刃２２に近い方よりも離れた方を多く突出するように傾斜させており、このときの突部２３ａの傾斜角度を４５°としている。突部２３ａの傾斜角度を４５°以下の鋭角としたことで、突部２３ａを茎等の被切断物に喰い込ませやすくすることができた。
【００２２】
園芸用剪定刃２０のキャッチャ２３は上述した実施形態に限られるものでなく、図６の（ａ）〜（ｃ）に示したように、薄い板金部材を折り曲げ加工したキャッチャ２３を用いるようにしてもよい。なお、この実施形態の場合には、可動刃２２の刃面からキャッチャ２３の突部（板金の先端）２３ａまでの距離が、前述の実施形態におけるキャッチャ２３の厚みに相当する。
【００２３】
上述した園芸用剪定刃２０は電動式園芸用剪定ばさみ１０に採用したものであるが、本発明はこれに限られるものでなく、手動式の剪定ばさみに適用したときでも上述した作用効果を得ることができる。
【００２４】
また、可動刃２２におけるキャッチャ２３の位置を調整可能として、キャッチャ２３の突部２３ａと固定刃２１との間の距離を調整できるようにしてもよい。
【００２５】
さらに、固定刃２１と可動刃２２と先端（前端）側と基端（後端）側とで、キャッチャ２３の突部２３ａと固定刃２１との間の距離が異なっているようにしてもよい。例えば、固定刃２１と可動刃２２の先端側に向けて、キャッチャ２３の突部２３ａと固定刃２１との間の距離を小さくすれば、固定刃２１と可動刃２２の先端（前端）側で細い茎を切断するときでも、また、固定刃２１と可動刃２２の基端（後端）側で太い茎を切断するときでも、キャッチャ２３と固定刃２１とで茎を良好に保持することができる。
【００２６】
上述した園芸用剪定刃２０は、第１の切断刃には可動刃２２を用い、第２の切断刃には固定刃２１を用いたが、本発明はこれに限られるものでなく、第２の切断刃にも可動刃２２を用いたものであってもよい。また、第１の切断刃に固定刃２１を用い、第２の切断刃に可動刃２２を用い、固定刃２１にキャッチャ２３を設けるようにして、キャッチャ２３と可動刃２２とにより茎等の被切断物を保持するようにしたものであってもよい。
【符号の説明】
【００２７】
１０…電動式園芸用剪定ばさみ、１３…電動モータ、２０…園芸用剪定刃、２１…第１の切断刃（可動刃）、２２…第２の切断刃（固定刃）、２３…キャッチャ、２３ａ…突部。
【図１】
2019118325.tif 000003
【図２】
2019118325.tif 000004
【図３】
2019118325.tif 000005
【図４】
2019118325.tif 000006
【図５】
2019118325.tif 000007
【図６】
2019118325.tif 000008